(57)【要約】【課題】  組電池を構成する場合、簡易な開放構造の電槽でモノブロック化することができる２Ｖ系制御弁式鉛蓄電池を得る。【解決手段】  電池内部の圧力を放出するためのゴム弁１８と、このゴム弁１８の抜け防止のための押え板とを具備する。押え板として、通気用の微孔を有する防爆フィルタ１９を用いる。【選択図】  図３
2005026214.tif 000002
【特許請求の範囲】
【請求項１】
電池内部の圧力を放出するためのゴム弁と、このゴム弁の抜け防止のための押え板とを具備する２Ｖ系制御弁式鉛蓄電池であって、
前記押え板として通気用の微孔を有する防爆フィルタが用いられていることを特徴とする２Ｖ系制御弁式鉛蓄電池。
【請求項２】
電池内部の圧力を放出するためのゴム弁と、このゴム弁の抜け防止のための押え板とを具備する２Ｖ系制御弁式鉛蓄電池であって、
前記押え板の排気孔の下で前記ゴム弁の上には通気用の微孔を有する防爆フィルタが配置され、前記電池内部と外部の通気は前記防爆フィルタと前記排気孔を経て行われるようになっていることを特徴とする２Ｖ系制御弁式鉛蓄電池。
【請求項３】
前記防爆フィルタの上部と前記押え板の下部との間に空隙が設けられていることを特徴とする請求項２に記載の２Ｖ系制御弁式鉛蓄電池。
【発明の詳細な説明】
【技術分野】
【０００１】
本発明は、２Ｖ（ボルト）系制御弁式鉛蓄電池に関するものである。
【背景技術】
【０００２】
鉛蓄電池は、鉛の一部が酸化された鉛粉と水と希硫酸とを主成分とし、これに必要に応じて添加物を添加して練合し、得られたペーストを鋳造格子体や連続多孔格子体に塗着し、乾燥させたペースト式極板が広く用いられている。この極板は、更にセパレータ（隔離板）と組み合わせて極板群に構成され、電槽に組み込まれた後、希硫酸を加えて化成充電するか、化成充電後に電槽内に組み込むことによって、電池の性能が与えられる。
【０００３】
ところで、鉛蓄電池の主な用途の一つとして、自動車エンジンの始動がある。これは、大電流放電によりエンジン内にスパークを発生させるというものであるが、この時の放電電圧が低いまたは放電時間が短いと、エンジンが始動しないという不具合が生じる。
【０００４】
この不具合を解消するため、より始動性の高い巻回型制御弁式鉛蓄電池が提案されている（例えば、特許文献１参照。）。
【０００５】
この巻回型制御弁式鉛蓄電池を自動車エンジンの始動用として用いる場合、通常直列に接続した６個組みの組電池として用いる。
【０００６】
このような自動車エンジンの始動用として用いる組電池は、一般にエンジンルーム内に設置するが、電池から発生する水素が引火するのを防ぐため、微孔を有する防爆フィルタを具備している。
【特許文献１】米国特許第５６７７０７８号明細書（図３）
【発明の開示】
【発明が解決しようとする課題】
【０００７】
従来の巻回型制御弁式鉛蓄電池の組電池においては、モノブロック電槽の蓋部に防爆フィルタを具備しているが、それぞれ独立した２Ｖ電池を６個組み合わせて電槽に組み込んで組電池を構成する場合、振動等に対する耐久性の面で密閉を保持することが困難になる問題点があった。
【０００８】
本発明の目的は、組電池を構成する場合、簡易な開放構造の電槽でモノブロック化することができる２Ｖ系制御弁式鉛蓄電池を得ることにある。
【０００９】
本発明の他の目的は、組電池を構成する場合、振動等に対する耐久性の面で密閉を保持することができる２Ｖ系制御弁式鉛蓄電池を得ることにある。
【課題を解決するための手段】
【００１０】
本発明は、電池内部の圧力を放出するためのゴム弁と、このゴム弁の抜け防止のための押え板とを具備する２Ｖ系制御弁式鉛蓄電池を対象とする。
【００１１】
本発明に係る２Ｖ系制御弁式鉛蓄電池では、押え板として通気用の微孔を有する防爆フィルタが用いられていることを特徴とする。
【００１２】
また、本発明に係る２Ｖ系制御弁式鉛蓄電池では、押え板の排気孔の下でゴム弁の上には通気用の微孔を有する防爆フィルタが配置され、電池内部と外部の通気は防爆フィルタと排気孔を経て行われるようになっていることを特徴とする。
【００１３】
この場合、防爆フィルタの上部と押え板の下部との間に空隙が設けられていることが好ましい。
【発明の効果】
【００１４】
本発明に係る２Ｖ系制御弁式鉛蓄電池では、押え板として通気用の微孔を有する防爆フィルタを用いたので、この電池を複数用いて電槽内にセットして組電池を構成する場合、簡易な開放構造の電槽でモノブロック化することができる。
【００１５】
また、本発明に係る２Ｖ系制御弁式鉛蓄電池では、押え板の排気孔の下でゴム弁の上には通気用の微孔を有する防爆フィルタが配置され、電池内部と外部の通気は防爆フィルタと排気孔を経て行われるようになっているので、防爆フィルタの上の押え板の存在により、防爆フィルタにごみや水滴が付くことによる目詰まりを防止することができる。また、防爆フィルタが２Ｖ電池に組み込まれているので、この電池を複数用いて電槽内にセットして組電池を構成する場合、簡易な開放構造の電槽でモノブロック化することができる。
【００１６】
この場合、防爆フィルタの上部と押え板の下部との間に空隙が設けられていると、防爆フィルタが外気に触れる面積が大きくなり、通気効率を上げることができる。
【発明を実施するための最良の形態】
【００１７】
以下、本発明に係る２Ｖ系制御弁式鉛蓄電池の実施の形態の一例を図１（Ａ）（Ｂ）乃至図３を参照して詳細に説明する。図１（Ａ）（Ｂ）は本例の２Ｖ系制御弁式鉛蓄電池の平面図及び側面図、図２は図１（Ａ）のＡ−Ａ´線断面図、図３は図１（Ａ）のＢ−Ｂ´線断面図である。
【００１８】
本例では、負極板は、鉛粉と、該鉛粉に対して１３質量％の希硫酸（比重１．２６：２ｏ℃）と、該鉛粉に対して１２質量％の水とを混練して負極活物質ペーストを作り、この負極活物質ペースト２４０．０ｇを格子体からなる集電体に充填してから、温度５０℃、湿度９５％中に１８時間放置して熟成した後、温度２５℃、湿度４０％中に２時間放置し、乾燥して未化成負極板を作成した。
【００１９】
正極板は次のようにして作成した。後述する正極活物質ペーストの混練を行う混練釜として、冷却できるものを用いて混練の間温度を一定に保って行った。即ち、正極板は、鉛粉と、該鉛粉に対して０．０１質量％の硫酸ナトリウム及びカットファイバーを添加し、該鉛粉に対して１３質量％の希硫酸（比重１．２６：２ｏ℃）と、該鉛粉に対して１２質量％の水とを混練して正極活物質ペーストを作成した。次に、この正極活物質ペースト２００．０ｇを鋳造格子体からなる集電体に充填してから、温度５０℃、湿度９５％中に１８時間放置して熟成した後、温度２５℃、湿度４０％中に２時間放置し、乾燥して未化成正極板を作成した。
【００２０】
このように作成した未化成負極板と未化成正極板をガラス繊維からなるセパレータを介して巻回し、図２に示すような円柱状の極板群１を得た。この極板群１を、図１（Ａ）（Ｂ）及び図２に示すように、有底円筒状の電槽２の中に配置し、また電槽２内には電解液を注液し、電槽２の開口部は、図１（Ａ）（Ｂ）及び図３に示すように、上蓋３で密封した。極板群１の負極板と正極板はその集電体４，５をストラップ６，７で接続し、各ストラップ６，７の極柱８，９は上蓋３を貫通し、上蓋３の上面の接続バー１０，１１に電気的に接続され、接続バー１０，１１には上蓋３上の所要の位置に負極端子１２と正極端子１３が立設されている。
【００２１】
また、上蓋３には凹部１４が設けられ、凹部１４の底部１５には弁孔１６が貫通され、この弁孔１６を包囲して円筒状に弁座１７が立設され、この弁座１７の上部にはキャップ状のゴム弁１８が嵌められ、このゴム弁１８上には通気用の微孔を有する防爆フィルタ１９が配置され、この防爆フィルタ１９の上には押え板２０が配置されて、凹部１４の入口の段部１４ａに載せられて固定され、防爆フィルタ１９に対応する箇所で押え板２０には排気口２１が設けられている。この場合、押え板２０の下面と防爆フィルタ１９の上面との間には、空隙２２が設けられている。この空隙２２は、押え板２０の下面の一部を窪ませて設けられている。かかる状態で、上蓋３の上面の凹部には樹脂２３が充填されている。
【００２２】
このような２Ｖ系制御弁式鉛蓄電池では、防爆フィルタ１９がこの２Ｖ電池に組み込まれているので、６個組みの組電池を電槽にセットして構成する場合、簡易な開放構造の電槽でモノブロック化することができる。また、防爆フィルタ１９の上に押え板２０があって、この押え板２０には防爆フィルタ１９に対応して排気孔２１が設けられているので、防爆フィルタ１９にごみや水滴が付くことによる目詰まりを防止することができる。また、防爆フィルタ１９の上部と押え板２０の下部との間に空隙２２が設けられているので、防爆フィルタ１９が外気に触れる面積が大きくなり、通気効率を上げることができる。
【００２３】
上記例では、ゴム弁１８と防爆フィルタ１９が押え板２０で押えられた構造であったが、ゴム弁１８の押えを防爆フィルタ１９で行い、この防爆フィルタ１９を上蓋３に固定して、押え板２０を防爆フィルタ１９で兼用させることもできる。
【００２４】
このような構造の２Ｖ系制御弁式鉛蓄電池でも、この電池を複数用いて電槽内にセットして組電池を構成する場合、簡易な開放構造の電槽でモノブロック化することができる。
【図面の簡単な説明】
【００２５】
【図１】（Ａ）（Ｂ）は本発明に係る２Ｖ系制御弁式鉛蓄電池の実施の形態の一例を示した平面図及び側面図である。
【図２】図１（Ａ）のＡ−Ａ´線断面図である。
【図３】図１（Ａ）のＢ−Ｂ´線断面図である。
【符号の説明】
【００２６】
１  極板群
２  電槽
３  上蓋
４，５  集電体
６，７  ストラップ
８，９  極柱
１０，１１  接続バー
１２  負極端子
１３  正極端子
１４  凹部
１４ａ  段部
１５  底部
１６  弁孔
１７  弁座
１８  ゴム弁
１９  防爆フィルタ
２０  押え板
２１  排気口
２２  空隙
２３  樹脂
【図１】
2005026214.tif 000003
【図２】
2005026214.tif 000004
【図３】
2005026214.tif 000005